(57)【要約】【課題】  Ｆ網（１３００Ｈｚ）検出が必要な場合でも電力供給をＯＦＦにでき、また、スピーカーの誤動作防止を図った通信装置および通信方法を得る。【解決手段】  ＳｉＤＡＡの二次側デバイスからのスピーカー用信号出力を利用して、１３００Ｈｚの信号検出を行う。２次側デバイスは、ＬＰＦを介してアナログ信号にしてからゲインを持たせてスピーカーを駆動する。ファクシミリの省エネ状態でもＤＳＰを通常通りにＯＮとし、ＬＰＦの後から信号を取り出す。この信号をコンパレータに入力し、スレッシュを決めてからデジタル化し、省電力モード制御部に入力する。ここで、周波数検出することで、シリアルデータ処理部のモデム（ＤＳＰ）を動作させることなく、１３００Ｈｚの信号検出を可能とする。【選択図】  図１
2005094205.tif 000002
【特許請求の範囲】
【請求項１】
２次シリアルＩ／Ｆ部をモード固定する省エネ用モード固定手段と、
回線制御回路（ＤＡＡ）からの信号を出力するスピーカー用信号出力手段と、
出力信号の周波数レベルを検出するＦ網信号検出手段とを有し、
省エネ状態でモデム（ＤＳＰ）が動作することなくＦ網（１３００Ｈｚ）の信号検出を可能としたことを特徴とするシリコン回線制御回路（ＳｉＤＡＡ）を使用した通信装置。
【請求項２】
さらに、接続先を切り替える接続先切替手段を有し、省エネ状態ではスピーカー側を切断し、前記Ｆ網信号検出手段にのみ信号が入力されるようにしたことを特徴とする請求項１に記載の通信装置。
【請求項３】
前記省エネ状態での前記スピーカー側の切断は、ホストまたは前記回線制御回路（ＤＡＡ）からの切断であることを特徴とする請求項２に記載の通信装置。
【請求項４】
２次シリアルＩ／Ｆ部をモード固定する省エネ用モード固定ステップと、
回線制御回路（ＤＡＡ）からの信号を出力するスピーカー用信号出力ステップと、
出力信号の周波数レベルを検出するＦ網信号検出ステップとを有し、
省エネ状態でモデム（ＤＳＰ）が動作することなくＦ網（１３００Ｈｚ）の信号検出を可能としたことを特徴とするシリコン回線制御回路（ＳｉＤＡＡ）を使用した通信方法。
【請求項５】
さらに、接続先を切り替える接続先切替ステップを有し、省エネ状態ではスピーカー側を切断し、前記Ｆ網信号検出ステップ後にのみ信号が入力されるようにしたことを特徴とする請求項４に記載の通信方法。
【請求項６】
前記省エネ状態での前記スピーカー側の切断は、ホストまたは前記回線制御回路（ＤＡＡ）からの切断であることを特徴とする請求項５に記載の通信方法。
【発明の詳細な説明】
【技術分野】
【０００１】
本発明は、半導体によって回線制御を行うシリコン半導体ＤＡＡ（ＳｉＤＡＡ／回線制御回路）を使用した通信装置および通信方法に関するものである。
【背景技術】
【０００２】
近年、半導体技術の向上により半導体によって回線制御を行うシリコン半導体ＤＡＡ（以降ＳｉＤＡＡ）がある。例えば、下記の特許文献２は、従来の大型のトランスに代り集積化されたアナログ回路と、従来のトランスより極めて小型なパルストランスにより、回線制御回路（ＤＡＡ）を構成している。他の例でもパルストランスではなく、コンデンサと半導体によるアイソレーション技術で同様な機能を実現した例もある。
【０００３】
例えば、リンギング検出用の回路を１次側に付加し回線制御回路（ＤＡＡ）を介さずに検出することで、省エネ状態でモデム（ＤＳＰ）への電力供給をＯＦＦする構成としている（参照；特許文献１）。
従来の大型のトランスに代り集積化されたアナログ回路と、従来のトランスより極めて小型なパルストランスにより、回線制御回路（ＤＡＡ）を構成している（参照；特許文献２）。
【特許文献１】特開２００２−１７６５２０号公報
【特許文献２】特開平０６−９８０３８号公報
【発明の開示】
【発明が解決しようとする課題】
【０００４】
本発明が解決しようとする問題点は、以下の通りである。
上記の特許文献１では、リンギング検出用の回路を１次側に付加し、回線制御回路（ＤＡＡ）を介さずに検出することで、省エネ状態でモデム（ＤＳＰ）への電力供給をＯＦＦしている。しかし、Ｆ網（１３００Ｈｚ）検出が必要な場合、電力供給をＯＦＦにできない。また、従来の通信装置および通信方法では、２次側シリアルＩ／Ｆ部からのシリアルデータを処理するためのモデム（ＤＳＰ）を、省電力状態においても通常動作させておかなければ回線の状態、及び信号を認識できない。このため、省電力時の電力が増加するという第１の問題点がある。さらに、通常は、信号出力手段を２次シリアルＩ／Ｆ部にてＯＦＦすることでスピーカーが鳴らないようにしている場合、そのままつないだだけでは省エネ状態でスピーカーが鳴ってしまうという第２の問題点がある。
【課題を解決するための手段】
【０００５】
請求項１に記載の本発明のシリコン回線制御回路（ＳｉＤＡＡ）を使用した通信装置は、２次シリアルＩ／Ｆ部をモード固定する省エネ用モード固定手段と、回線制御回路（ＤＡＡ）からの信号を出力するスピーカー用信号出力手段と、出力信号の周波数レベルを検出するＦ網信号検出手段とを有し、省エネ状態でモデム（ＤＳＰ）が動作することなくＦ網（１３００Ｈｚ）の信号検出を可能としたことを特徴とする。
【０００６】
請求項２に記載の発明は、請求項１に記載の通信装置において、さらに、接続先を切り替える接続先切替手段を有し、省エネ状態ではスピーカー側を切断し、Ｆ網信号検出手段にのみ信号が入力されるようにしたことを特徴とする。
【０００７】
請求項３に記載の発明は、請求項２に記載の通信装置において、省エネ状態でのスピーカー側の切断は、ホストまたは回線制御回路（ＤＡＡ）からの切断であることを特徴とする。
【０００８】
請求項４に記載の発明のシリコン回線制御回路（ＳｉＤＡＡ）を使用した通信方法は、２次シリアルＩ／Ｆ部をモード固定する省エネ用モード固定ステップと、回線制御回路（ＤＡＡ）からの信号を出力するスピーカー用信号出力ステップと、出力信号の周波数レベルを検出するＦ網信号検出ステップとを有し、省エネ状態でモデム（ＤＳＰ）が動作することなくＦ網（１３００Ｈｚ）の信号検出を可能としたことを特徴とする。
【０００９】
請求項５に記載の発明は、請求項４に記載の通信方法において、さらに、接続先を切り替える接続先切替ステップを有し、省エネ状態ではスピーカー側を切断し、Ｆ網信号検出ステップ後にのみ信号が入力されるようにしたことを特徴とする。
【００１０】
請求項６に記載の発明は、請求項５に記載の通信方法において、省エネ状態でのスピーカー側の切断は、ホストまたは回線制御回路（ＤＡＡ）からの切断であることを特徴とする。
【発明の効果】
【００１１】
本発明の通信装置および通信方法は、接続先切り替え手段を追加し、省エネ状態ではスピーカー側を切断してＦ網検出手段だけに信号が入力されるようにする。これにより、スピーカーの誤動作を防止することができる。
また、消費電流の大きいモデム（ＤＳＰ）を低消費状態にしてもＦ網（１３００Ｈｚ）の検出が可能となり、低消費の通信装置および通信方法を構成することができる。
【発明を実施するための最良の形態】
【００１２】
添付図面を参照して、本発明による通信装置および通信方法の実施の形態を詳細に説明する。図１、図２および図３を参照すると、本発明の通信装置および通信方法の一実施形態が示されている。
【００１３】
図１は、本発明の通信装置および通信方法の構成例を示すブロック図である。本実施例の通信装置および通信方法は、１次側回線制御部、回線制御回路（ＳｉＤＡＡ）、２次側（シリアル）Ｉ／Ｆ回路、データ受け渡し回路（リニアカプラ、トランス、コンデンサ等）、ダイオードブリッジ、モデム（ＤＳＰ）、システム部、省電力モード制御部、スピーカー及びスピーカー駆動回路、ＣＰＵ、等を有して構成される。
【００１４】
回線制御回路(ＳｉＤＡＡ)は、回線の１次側に配置され局給電により動作し、２次側とデータの受け渡しを行うことによって、回線制御および送受信データのやりとりを実施する。
図１に示したデータ受け渡し回路は、絶縁された光電素子により構成され、より具体的には、例えば、コンデンサにて絶縁して信号を受け渡しする回路構成等が考えられる。
２次側シリアルＩ／Ｆ回路は、２次側に配置され回線制御回路とシリアルＩ／Ｆにてデータの受け渡し・処理を行う回路部である。
データ受け渡し回路（リニアカプラ、トランス、コンデンサ等）は、１次−２次間を絶縁状態に保持してデータを送受信する。
【００１５】
モデム（ＤＳＰ）は、回線電流を整流するダイオードブリッジと、データの送受信の動作を司る。
ファクシミリシステム部は、ファクシミリの全体的な動作の制御を司る。
省電力モード制御部は、省エネ動作を司るＣＰＵより成り、省電力時にも動作を可能とする制御を実行する。
【実施例１】
【００１６】
実施例１を図１に示す。図１の回路構成部を用いて実施する。本構成内容を以下に詳述する。
ＳｉＤＡＡ(シリコン回線制御回路)では、回線からの着呼検出、発呼処理・状態検出等の網制御機能と、授受するアナログ信号を送信・受信するという二つの機能を担う。この為に、ＳｉＤＡＡの二次側デバイスは、通常変復調を担うモデム（ＤＳＰ）と接続される。網制御機能は、ホストＣＰＵがモデム（ＤＳＰ）経由で指示、あるいは確認することで実現される。現状において、回線上のアナログ信号は、モデム（ＤＳＰ）からのデータでしか確認できない。このため、ファクシミリの省エネ状態においてもモデム（ＤＳＰ）を通常通りに動作させておき、Ｆ網（１３００Ｈｚ）の検出を行っている。このため消費電力が大きい。実施例１では、本問題点を解消する。
【００１７】
本発明では、ＳｉＤＡＡの二次側デバイスからのスピーカー用信号出力を利用して、１３００Ｈｚの信号検出を行う。２次側デバイスは、デジタル素子であるため、ローパスフィルタ（ＬＰＦ）を介してアナログ信号にしてからスピーカー駆動回路でゲインを持たせ、スピーカーを駆動する。通常、省エネ状態では、この出力はＯＦＦとなっている。しかし、本発明ではＯＮとし、ＬＰＦの後から信号を取り出す。この信号をコンパレータに入力し、スレッシュを決めてからデジタル化し、省電力モード制御部に入力する。ここで、周波数検出することで、シリアルデータ処理部のモデム（ＤＳＰ）を動作させることなく、１３００Ｈｚの検出が可能となる。
【００１８】
（動作例１）
図２は、動作例１を表したフローチャートである。本図２のフローチャートにおいて、通常状態においてスピーカーに接続し、省エネへ移行する場合には、ＤＡＡをスピーカー信号出力モードに固定する（ステップＳ１）。さらに、ホストよりスピーカー切断がされ（ステップＳ２）、ＤＳＰ電源をＯＦＦとし、Ｆ網（１３００Ｈｚ）を監視する。Ｆ網が検出されると、省エネ状態から復帰して、ＤＳＰの電源をＯＮとして、ホストよりスピーカーを接続し（ステップＳ３）、受信動作へ移行する。
【００１９】
上記の実施例１では、スピーカー用の信号を並列に引き出して１３００Ｈｚ監視用信号としている。この場合、省エネ中も常に信号を出力しなくてはならないため、スピーカーから音が出てしまう。このため、接続先切り替え手段を追加する。通常時は二次側デバイス内にてスピーカー信号のＯＮ−ＯＦＦを行い、省エネ状態では省電力モード制御部よりスピーカー回路を切断することで１３００Ｈｚモニタ信号として使用する。
【００２０】
（動作例２）
本動作例２では、接続先切り替え手段を省電力モード制御部に設けているが、これを回線制御回路（ＤＡＡ）の２次側デバイスに持たせる。これにより、ホストが介することなく制御が可能となる。
図３は、動作例２を表したフローチャートである。本図３のフローチャートにおいて、通常状態においてスピーカーに接続し、省エネへ移行する場合には、ＤＡＡをスピーカー信号出力モードに固定する（ステップＳ１１）。さらに、ＤＡＡよりスピーカー切断がされ（ステップＳ１２）、ＤＳＰ電源をＯＦＦとし、Ｆ網（１３００Ｈｚ）を監視する。Ｆ網が検出されると、省エネ状態から復帰して、ＤＳＰの電源をＯＮとして、ＤＡＡよりスピーカーを接続し（ステップＳ１３）、受信動作へ移行する。
【００２１】
ＳｉＤＡＡを使用した通信装置および通信方法においては、２次シリアルＩ／Ｆ部をモード固定する省エネ用モード固定回路、回線制御回路（ＤＡＡ）からの信号を出力するスピーカー用信号出力回路、出力信号の周波数レベルを検出するＦ網信号検出回路を有して構成される。これにより、省エネ状態でモデム(ＤＳＰ)が動作することなくＦ網（１３００Ｈｚ）の検出が可能となる。
【図面の簡単な説明】
【００２２】
【図１】通信装置および通信方法の項精励を示すブロック図である。
【図２】動作例１を示すフローチャートである。
【図３】動作例２を示すフローチャートである。
【符号の説明】
【００２３】
ＤＡＡ    回線制御回路
ＤＳＰ    モデム
【図１】
2005094205.tif 000003
【図２】
2005094205.tif 000004
【図３】
2005094205.tif 000005